【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
１又は複数の音響信号処理装置が備える複数のチャンネルから、ユーザにより設定された検索条件を満たすチャンネルを抽出する抽出部と、
前記抽出部により抽出されたチャンネルの各々について、該チャンネルに関する操作を受け付けるためのチャンネルストリップを用意し、それらのチャンネルストリップを、ユーザによる操作を受け付けるためのチャンネルストリップ部として提供する用意部とを備えたことを特徴とする制御装置。
【請求項２】
請求項１に記載の制御装置であって、
前記音響信号処理装置は、前記複数のチャンネルの各チャンネルについてそれぞれ複数のパラメータを記憶するメモリを備えるものであり、
前記検索条件は、前記各チャンネルのパラメータの値に関する条件であることを特徴とする制御装置。
【請求項３】
請求項２に記載の制御装置であって、
前記検索条件を示す条件データを記憶する条件メモリと、
ユーザによる指示に応じて前記記憶された条件データのいずれかを選択する手段とを備えており、
前記抽出部は前記選択された条件データが示す検索条件を満たすチャンネルを抽出すること
を特徴とする制御装置。
【請求項４】
請求項１乃至３のいずれか一項に記載の制御装置であって、
前記用意部により用意されたチャンネルストリップのチャンネル構成を示す構成データを保存する構成メモリと、
ユーザによる指示に応じて前記保存された構成データのいずれかを選択する手段とを備え、
前記選択された構成データの示すチャンネルの各々について前記チャンネルストリップを用意し、該構成データに基づくそれらのチャンネルストリップを、ユーザによる操作を受け付けるためのチャンネルストリップ部として提供すること
を特徴とする制御装置。
【請求項５】
請求項１乃至４のいずれか一項に記載の制御装置であって、
前記チャンネルストリップ部は、物理的な入力デバイスを備えることを特徴とする制御装置。
【請求項６】
請求項１乃至４のいずれか一項に記載の制御装置であって、
前記チャンネルストリップ部は、ＧＵＩであることを特徴とする制御装置。
【請求項７】
請求項１乃至６のいずれか一項に記載の制御装置と、前記複数のチャンネルの少なくとも一部とを備える音響信号処理装置。
【請求項８】
コンピュータを、
１又は複数の音響信号処理装置が備える複数のチャンネルから、ユーザにより設定された検索条件を満たすチャンネルを抽出する抽出部と、
前記抽出部により抽出されたチャンネルの各々について、該チャンネルに関する操作を受け付けるためのチャンネルストリップを用意し、それらのチャンネルストリップを、ユーザによる操作を受け付けるためのチャンネルストリップ部として提供する用意部として機能させるためのプログラム。
【手続補正２】
【補正対象書類名】明細書
【補正対象項目名】全文
【補正方法】変更
【補正の内容】
【発明の詳細な説明】
【発明の名称】制御装置、音響信号処理装置及びプログラム
【技術分野】
【０００１】
この発明は、音響信号処理装置に対する操作を受け付けるための制御装置、このような制御装置を備える音響信号処理装置、及びコンピュータを上記の制御装置として機能させるためのプログラムに関する。
【背景技術】
【０００２】
従来から、カレントメモリに記憶したパラメータの値に基づいて複数のチャンネル（ｃｈ）で信号処理を行う音響信号処理装置として、例えば非特許文献１に記載のデジタルミキサが知られている。
このデジタルミキサにおいては、１つのｃｈのパラメータの設定を受け付けるための操作子を集めた操作部であるｃｈストリップを複数設けると共に、その各ｃｈストリップに所望のｃｈを割り当て、そのｃｈストリップを、割り当てたｃｈのパラメータの値の編集に用いることができる。また、複数のｃｈストリップに対してそれぞれ所望のｃｈを割り当てる割り当て内容をレイヤとし、そのレイヤを複数登録可能である。そしてユーザは、レイヤを選択することにより、そのレイヤにおける割り当て内容を上記の複数のｃｈストリップに反映させることができる。
【０００３】
従って、ユーザは、ｃｈストリップに割り当てたいｃｈの数がｃｈストリップの数より多い場合でも、レイヤの選択により、ｃｈストリップに対するｃｈの割り当てを簡単な操作で切り替えながら、ｃｈストリップに割り当てたｃｈのパラメータの編集を行うことができる。
また、非特許文献１に記載のデジタルミキサでは、ｃｈストリップへのｃｈの割り当て内容を予めメーカーが定めておくものだけでなく、ユーザが各ｃｈストリップに個別にｃｈを選択して割り当てることができる「カスタムレイヤ」の機能を有するものも知られている。
また、特許文献１にも、ユーザが個別にｃｈを選択してレイヤによる割り当て内容を定めることができるデジタルミキサが記載されている。
【０００４】
また、これらとは別に、非特許文献２には、ＰＣ（パーソナルコンピュータ）のＯＳ（オペレーティングシステム）上で動作するアプリケーションであって、該ＰＣを、複数の音響信号の録音、再生、および編集を行うことができるＤＡＷ（デジタルオーディオワークステーション）として動作させるＤＡＷアプリケーション（以下「ＤＡＷアプリ」という）が開示されている。Steinberg社のCubase（商標）、Nuendo（商標）等が代表的である。
【０００５】
また、ＤＡＷアプリでは、音響信号の録音及び再生を行うオーディオトラック、音響信号を入力するオーディオ入力バス、音響信号を出力するオーディオ出力バス、ＭＩＤＩ（Musical Instrument Digital Interface）信号の録音及び再生を行うＭＩＤＩトラック等のオブジェクトを、それぞれ、ユーザが所望する数だけ作成することができる。そして、各オブジェクトには、そのオブジェクトにおける音響信号ないしＭＩＤＩ信号の特性を調整するための処理ｃｈが備えられている。
【０００６】
非特許文献２に記載のＤＡＷアプリにおいては、１つの操作画面（ミキサウィンドウ）に全てのｃｈのｃｈストリップが並んでおり、ユーザは、表示を所望しないｃｈのｃｈストリップに「Hide」を設定して、その操作画面においてそのｃｈストリップの画像を非表示にすることができる。表示されている各ｃｈストリップ上には、回転ノブ、ボタン、フェーダ等の操作子の画像が配置されており、ユーザが所望の操作子の画像をポインティングデバイス(マウス等)で操作することにより、そのｃｈストリップに割り当てられているｃｈの、その操作子に割り当てられているパラメータの値を変更することができる。さらに、このＤＡＷアプリでは、１つの操作画面の全ｃｈストリップに関する「Hide」の設定／解除を１つのビューセットとして、ビューセットを複数ストアしておき、任意の時点で、何れか１のビューセットを選択してリコールすることもできる。
【先行技術文献】
【特許文献】
【０００７】
【特許文献１】特許第３９１８６７６号公報
【非特許文献】
【０００８】
【非特許文献１】「ＰＭ５Ｄ／ＰＭ５Ｄ−ＲＨＶ２  ＤＳＰ５Ｄ取扱説明書」，ヤマハ株式会社，２００４年，ｐ．４５−４６，１４６−１４７
【非特許文献２】「Ｃｕｂａｓｅ５  Ｏｐｅｒａｔｉｏｎ  Ｍａｎｕａｌ」，[0nline]，２００９年１月７日，SteinbergMedia Technologies GmbH，［平成２３年８月１５日検索］，インターネット<URL:ftp://ftp.steinberg.net/Download/Cubase_5/5.0.0.82/docs_english.zip>，特にそのｐ１１４−１１５
【発明の概要】
【発明が解決しようとする課題】
【０００９】
しかしながら、非特許文献１及び特許文献１に記載のデジタルミキサにおいては、ユーザがカスタムレイヤの各ｃｈストリップへの所望のｃｈを割り当てようとする場合、各ｃｈストリップについてそのｃｈストリップへ割り当てるｃｈを個別に設定する必要があったため、操作が面倒であるという問題があった。特に、デジタルミキサが備えるｃｈ数が多かったり、外部接続の装置も含む複数の装置を１台の制御装置から制御しようとしたりする場合などでは、全てのｃｈの用途を把握してどのｃｈをｃｈストリップに割り当てるべきかを判断するのが難しい場合もあるという問題があった。
【００１０】
また、非特許文献２に記載のＤＡＷアプリでは、ユーザが、任意の数のＭＩＤＩトラック（ＭＩＤＩｃｈを含む）、オーディオトラック（トラックｃｈを含む）、オーディオ入力バス（入力ｃｈを含む）、オーディオ出力バス（出力ｃｈを含む）、ソフト音源トラック（楽器ｃｈを含む）を作成することができる。このため、ＤＡＷアプリの有するｃｈ数は膨大になりがちであり、その場合、その膨大な数のｃｈのうちの所望のｃｈのｃｈストリップが、ＤＡＷアプリのミキサウィンドウに表示されるよう設定せねばならず、操作が面倒であるという問題があった。具体的操作としては、ＤＡＷの全ｃｈのｃｈストリップのうち、ＤＡＷアプリのミキサウィンドウに表示したい各ｃｈストリップの「Hide」の設定を解除し、表示したくない各ｃｈストリップに「Hide」を設定せねばならなかった。
【００１１】
これらの問題は、デジタルミキサやＤＡＷアプリだけでなく、複数のｃｈのうちの所望のｃｈのｃｈストリップを選択的に配置できる、ミキサの操作パネルに類似したユーザインタフェースを備えるあらゆる音響信号処理装置において発生するものである。
この発明は、このような問題を解決し、所望のｃｈのｃｈストリップを配置したユーザインタフェースを、容易に設定（準備）できるようにすることを目的とする。
【課題を解決するための手段】
【００１２】
上記の目的を達成するため、この発明の制御装置は、１又は複数の音響信号処理装置が備える複数のチャンネルから、ユーザにより設定された検索条件を満たすチャンネルを抽出する抽出部と、上記抽出部により抽出されたチャンネルの各々について、そのチャンネルに関する操作を受け付けるためのチャンネルストリップを用意し、それらのチャンネルストリップを、ユーザによる操作を受け付けるためのチャンネルストリップ部として提供する用意部とを設けたものである。
このような制御装置において、上記音響信号処理装置が、上記複数のチャンネルの各チャンネルについてそれぞれ複数のパラメータを記憶するメモリを備えるものであり、上記検索条件は、上記各チャンネルのパラメータの値に関する条件であるとよい。
さらに、上記検索条件を示す条件データを記憶する条件メモリと、ユーザによる指示に応じて上記記憶された条件データのいずれかを選択する手段とを備えており、上記抽出部は上記選択された条件データが示す検索条件を満たすチャンネルを抽出する構成であるとよい。
また、上記用意部により用意されたチャンネルストリップのチャンネル構成を示す構成データを保存する構成メモリと、ユーザによる指示に応じて上記保存された構成データのいずれかを選択する手段とを備え、上記選択された構成データの示すチャンネルの各々について上記チャンネルストリップを用意し、その構成データに基づくそれらのチャンネルストリップを、ユーザによる操作を受け付けるためのチャンネルストリップ部として提供する構成であるとよい。
さらに、上記チャンネルストリップ部を、物理的な入力デバイスを備えるものとするとよい。
あるいは、上記チャンネルストリップ部を、ＧＵＩとするとよい。
この発明の音響信号処理装置は、上記のいずれかのコントローラと、上記複数のチャンネルの少なくとも一部とを備える音響信号処理装置である。
この発明のプログラムは、コンピュータを、１又は複数の音響信号処理装置が備える複数のチャンネルから、ユーザにより設定された検索条件を満たすチャンネルを抽出する抽出部と、上記抽出部により抽出されたチャンネルの各々について、そのチャンネルに関する操作を受け付けるためのチャンネルストリップを用意し、それらのチャンネルストリップを、ユーザによる操作を受け付けるためのチャンネルストリップ部として提供する用意部として機能させるためのプログラムである。
【００１３】
また、この発明の別の音響信号処理装置は、複数のチャンネルを有する音響信号処理装置において、上記複数のチャンネルの各チャンネルごとに、複数のパラメータを記憶するカレントメモリと、上記複数のチャンネルに対応する複数の信号処理部であって、それぞれ、上記カレントメモリに記憶されたそのチャンネルのパラメータに基づいて、入力する音響信号に対して信号処理を行う複数の信号処理部と、ユーザによる条件設定操作に応じて、上記複数のパラメータのうちの所望のパラメータに関して、検索条件を設定する条件設定部と、上記条件設定部から供給される検索条件に基づいて検索を実行し、上記複数のチャンネルの中から、上記カレントメモリに記憶されたパラメータが上記条件設定部の設定した検索条件を満たすチャンネルを抽出する抽出部と、上記抽出部により抽出されたチャンネルの各々について、複数の操作部を備えており、かつ、そのチャンネルが割り当てられた縦帯状のチャンネルストリップを用意し、それらのチャンネルストリップを横方向に連結した状態で、ユーザによるパラメータ変更操作を受け付けるチャンネルストリップ部として提供する第１の用意部と、ユーザによる何れかのチャンネルストリップの１の操作部の操作に応じて、上記カレントメモリに記憶されたパラメータのうち、そのチャンネルストリップに割り当てられたチャンネルの、その操作部に割り当てられたパラメータの値を変更する変更部とを設けたものである。
このような音響信号処理装置において上記音響信号処理装置に、物理的な入力デバイスである、所定数のチャンネルストリップを備えた操作パネルを設け、上記第１の用意部が、上記抽出部により抽出されたチャンネルを、上記操作パネルの所定数のチャンネルストリップに連続的に割り当てることにより、上記チャンネルストリップ部を提供するようにするとよい。
【００１４】
さらに、上記抽出部が抽出したチャンネルの数が、上記所定数より多い場合、上記第１の用意部が、上記抽出部が抽出したチャンネルのうち上記所定数のチャンネルを、まず上記操作パネルの各チャンネルストリップに割り当て、ページ切り替え操作に応じて、上記抽出部が抽出したチャンネルのうち初めに割り当てなかったチャンネルを、上記操作パネルの各チャンネルストリップに割り当てるようにするとよい。
【００１５】
また、上記条件設定部に、上記条件設定部が設定した検索条件を示す条件データを記憶する条件メモリを設け、ユーザによる上記条件データの呼出操作に応じて、上記条件メモリからその条件データを読み出し、読み出した条件データが示す検索条件を上記抽出部に供給するようにするとよい。
【００１６】
あるいは、上記の音響信号処理装置において、ユーザによる構成データの保存操作に応じて、上記第１の用意部により用意されたチャンネルストリップのチャンネル構成を示す構成データを保存する構成メモリと、ユーザによる上記構成データの呼出操作に応じて、上記構成メモリから該構成データを読み出し、読み出された構成データの示すチャンネルの各々について、複数の操作部を備えており、かつ、そのチャンネルが割り当てられた縦帯状のチャンネルストリップを用意し、それらのチャンネルストリップを横方向に連結した状態で、ユーザによるパラメータ変更操作を受け付けるチャンネルストリップ部として提供する第２の用意部とを設けるとよい。
【００１７】
このような音響信号処理装置において、ユーザの構成変更操作に応じて、上記構成メモリに記憶された構成データが示すチャンネル構成を変更する構成変更部を設けるとよい。
あるいは、上記音響信号処理装置に、物理的な入力デバイスである、所定数のチャンネルストリップを備えた操作パネルを設け、上記第１の用意部が、上記抽出部により抽出されたチャンネルを、上記操作パネルの所定数のチャンネルストリップに連続的に割り当てることにより、上記チャンネルストリップ部を提供するようにし、上記構成メモリに記憶される上記構成データを、操作パネルの各チャンネルストリップに対して割り当てられたチャンネルを示すデータとするとよい。
【００１８】
あるいはまた、上記構成メモリに記憶される上記構成データを上記音響信号処理装置の各チャンネルについて、対応するチャンネルストリップを上記チャンネルストリップ部に用意するか否かを示すデータとするとよい。
また、上記の音響信号処理装置において、ディスプレイとポインティングデバイスとを設け、上記第１の用意部が、上記ディスプレイに、上記抽出されたチャンネルが割り当てられたチャンネルストリップを表示し、上記ポインティングデバイスにより、その表示されたチャンネルストリップに対するユーザの操作を受け付けることにより、上記チャンネルストリップ部を提供するようにするとよい。
【発明の効果】
【００１９】
以上のようなこの発明の制御装置、音響信号処理装置又はプログラムによれば、所望のｃｈのｃｈストリップを配置したユーザインタフェースを、容易に設定（準備）できるようにすることができる。
【図面の簡単な説明】
【００２０】
【図１】この発明の音響信号処理装置の実施形態であるデジタルミキサのハードウェア構成を示す図である。
【図２】図１に示したＤＳＰで実行される信号処理の構成をより詳細に示す図である。
【図３】同じくＤＳＰにおける信号処理のうち、入力ｃｈからＳＴバス及びＭＩＸバスへの信号の入力に関する部分の構成を示す図である。
【図４】図１に示したデジタルミキサにおける入力ｃｈに関するパラメータの構成を示す図である。
【図５】この発明の音響信号処理装置の変形例である、図１に示したデジタルミキサを含むミキサシステムの構成を示す図である。
【図６】図１に示したデジタルミキサの操作パネルの概略構成を示す図である。
【図７】ユーザレイヤにおけるｃｈ割り当ての設定を受け付けるための画面の例を示す図である。
【図８】その別の例を示す図である。
【図９】図１に示したデジタルミキサが保持するユーザレイヤに関するデータの例を示す図である。
【図１０】図１に示したデジタルミキサのＣＰＵが、ユーザレイヤ選択キー群中のいずれかのレイヤ選択キーが押下された場合に実行する処理のフローチャートである。
【図１１】物理的コントローラを用いてＤＡＷアプリを操作する場合のハードウェアの接続状態の例を示す図である。
【図１２】「Ｈｉｄｅ」の設定を利用する変形例において、ＤＡＷアプリを実行するＰＣのＣＰＵが、いずれかのレイヤ選択ボタンが押下された場合に実行する処理のフローチャートである。
【発明を実施するための形態】
【００２１】
以下、この発明を実施するための形態を図面に基づいて具体的に説明する。
まず、図１に、この発明の音響信号処理装置の実施形態であるデジタルミキサのハードウェア構成を示す。
図１に示す通り、デジタルミキサ１０は、ＣＰＵ１１，フラッシュメモリ１２，ＲＡＭ１３，外部機器入出力部（Ｉ／Ｏ）１４，表示器１５，電動フェーダ１６，その他操作子１７，波形Ｉ／Ｏ１８，オーディオネットワークＩ／Ｏ１９，信号処理部（ＤＳＰ）２０を備え、これらがシステムバス２１によって接続されている。
【００２２】
そして、ＣＰＵ１１は、このデジタルミキサ１０の動作を統括制御する制御部であり、フラッシュメモリ１２に記憶された所要のプログラムを実行することにより、外部機器Ｉ／Ｏ１４、波形Ｉ／Ｏ１８及びオーディオネットワークＩ／Ｏ１９におけるデータ及び信号の入出力や表示器１５における表示を制御したり、電動フェーダ１６及びその他操作子１７の操作を検出してその操作に従ってパラメータの値の設定／変更や各部の動作を制御したりといった処理を行う。
【００２３】
フラッシュメモリ１２は、ＣＰＵ１１が実行する制御プログラム等を記憶する書き換え可能な不揮発性記憶部である。
ＲＡＭ１３は、一時的に記憶すべきデータを記憶したり、ＣＰＵ１１のワークメモリとして使用したりする記憶部である。
【００２４】
外部機器Ｉ／Ｏ１４は、種々の外部機器を接続し入出力を行うためのインタフェースであり、例えば外部のディスプレイ、マウス、文字入力用のキーボード、操作パネル等を接続するためのインタフェースが用意される。そして、本体の表示器や操作子をごく単純な構成にしたとしても、これらの外部機器を活用することによりパラメータの設定／変更や動作指示を行うことができるようにすることも考えられる。
【００２５】
表示器１５は、ＣＰＵ１１による制御に従って種々の情報を表示する表示部であり、例えば液晶パネル（ＬＣＤ）や発光ダイオード（ＬＥＤ）によって構成することができる。ここで説明する例では、デジタルミキサ１０は、表示器１５として少なくともパラメータの値の参照や設定の受付を行うためのグラフィカル・ユーザ・インタフェース（ＧＵＩ）を表示できるサイズのＬＣＤを備える。
【００２６】
電動フェーダ１６は、後述するフェーダのパラメータの操作を受け付けるための操作子であり、駆動部を備え、ＣＰＵ１１の制御によりつまみを自動で任意の位置に移動させることができる。
その他操作子１７は、デジタルミキサ１０に対する操作を受け付けるための電動フェーダ１６以外の操作子であり、種々のキー、ボタン、ロータリーエンコーダ、スライダ等によって構成することができる。ここでは、表示器１５であるＬＣＤに積層したタッチパネルも用いている。
【００２７】
波形Ｉ／Ｏ１８は、ＤＳＰ２０で処理すべき音響信号の入力を受け付け、また処理後の音響信号を出力するためのインタフェースである。そして、この波形Ｉ／Ｏ１８には、１枚で４チャンネル（ｃｈ）のアナログ入力が可能なＡ／Ｄ変換ボード，１枚で４ｃｈのアナログ出力が可能なＤ／Ａ変換ボード，１枚で８ｃｈのデジタル入出力が可能なデジタル入出力ボードを適宜組み合わせて複数枚装着可能であり、実際にはこれらのボードを介して信号の入出力を行う。
オーディオネットワークＩ／Ｏ１９は、後述するオーディオネットワークを介して他の装置との間で複数の伝送ｃｈでデジタル音響信号を送受信し、また制御信号を送受信するためのインタフェースである。
【００２８】
ＤＳＰ２０は、信号処理回路を含み、波形Ｉ／Ｏ１８あるいはオーディオネットワークＩ／Ｏ１９から入力する音響信号に対し、カレントデータとして設定されている各種処理パラメータに従って、ミキシング、イコライジング等の各種信号処理を施して波形Ｉ／Ｏ１８あるいはオーディオネットワークＩ／Ｏ１９に出力する信号処理部である。この処理に用いるパラメータを含むカレントデータは、ＲＡＭ１３上あるいはＤＳＰ２０自身に備えるメモリ上に設けられたカレントメモリに記憶されており、ユーザは、表示器１５と電動フェーダ１６及びその他操作子１７とを用いて、そのデータの値を確認したり、変更したりすることができる。
【００２９】
次に、図２に、図１に示したＤＳＰ２０で実行される信号処理の構成をより詳細に示す。
この図に示すように、ＤＳＰ２０での信号処理は、入力パッチ３４，入力ｃｈ４０，ステレオ（ＳＴ）バス６０，ミキシング（ＭＩＸ）バス７０，ＳＴ出力ｃｈ８１，ＭＩＸ出力ｃｈ８２，出力パッチ３５を有する。
【００３０】
そして、ＤＳＰ２０においては、２４ｃｈある入力ｃｈ４０にそれぞれ、波形Ｉ／Ｏ１８に入力端子と対応するように用意されたアナログ入力ポート３１及びデジタル入力ポート３２のいずれかをパッチ（結線）することができる。また、オーディオネットワークＩ／Ｏ１９に伝送されてくる音響信号のうち任意の伝送ｃｈ３３の音響信号を選択して入力ｃｈ４０にパッチすることもできる。
各入力ｃｈでは、そのパッチされたポート又は伝送ｃｈから入力する信号に対してアッテネータ，イコライザ等により信号処理を行った後、ＳＴバス６０及び１６系統のＭＩＸバス７０のうちの任意のバスに対して処理後の信号を送出する。この送出については、入力ｃｈ４０とバスの組み合わせ毎にオンオフ及びレベル調整を行うことが可能である。
【００３１】
また、ＳＴバス６０及び各ＭＩＸバス７０では、各入力ｃｈ４０から入力する信号をミキシングし、ＳＴバス６０においてミキシングされた信号はＳＴ出力ｃｈ８１に、ＭＩＸバス７０においてミキシングされた信号はその各系統に対応して設けられる１６ｃｈのＭＩＸ出力ｃｈ８２に出力する。そして、各出力ｃｈ８１，８２では、対応するバスから入力する信号に対してイコライザ、コンプレッサ等により信号処理を行う。
【００３２】
そして、出力パッチ３５により、各出力ｃｈ８１，８２を、波形Ｉ／Ｏ１８に出力端子と対応するように用意されたアナログ出力ポート３６及びデジタル出力ポート３７、あるいはオーディオネットワークＩ／Ｏ１９の伝送ｃｈ３３にパッチし、パッチ先の出力ポートあるいは伝送ｃｈに供給してそこから出力させる。
なお、ＤＳＰ２０に設けるこれらの各部による信号処理の態様は、カレントメモリに記憶される所定のパラメータの値を設定することにより制御可能であり、また、各部の機能は、ソフトウェアによって実現してもハードウェアによって実現してもよい。
【００３３】
次に、図３に、ＤＳＰ２０における信号処理のうち、１つの入力ｃｈからＳＴバス６０及びＭＩＸバス７０への信号の入力に関する部分の構成を示す。図４に、カレントメモリに記憶されている全パラメータのうちの、１つの入力ｃｈに関するパラメータの構成を示す。
【００３４】
図４に示されるように、入力ｃｈのパラメータは、４つのパラメータグループ（「基本パラメータ（基本）」、「イコライザパラメータ（ＥＱ）」、「ダイナミクスパラメータ(Ｄｙｎａ)」、「センド部のパラメータ(Ｓｅｎｄ)」）にグループ分けされている。
また、図３に示す通り、各入力ｃｈ４０にはそれぞれ、アッテネータ４１，イコライザ４２，ダイナミクス４３，ｃｈフェーダ４４，オンスイッチ４５を設けている。また、その先の、ＳＴバス６０に信号を入力する経路には、ＴＯ＿ＳＴ（トゥーステレオ）スイッチ４６及びパン４７を設けている。
【００３５】
そして、このような入力ｃｈ４０に、入力パッチ３４におけるそのｃｈの接続先から入力した音響信号は、アッテネータ４１において、図４に示す基本パラメータに含まれるアッテネータパラメータに基づき信号処理に適したレベルに調整され、イコライザ４２において、イコライザパラメータに基づきその周波数特性が調整され、ダイナミクス４３において、ダイナミクスパラメータに基づきその振幅が動的な変化特性に基づき調整され、ｃｈフェーダ４４において、フェーダパラメータに基づきＳＴバス６０でのミキシングに適したレベルに調整される。
【００３６】
これらのうち、イコライザ４２は、複数バンドのパラメトリックイコライザからなり、各バンド毎に中心周波数、Ｑ値及びゲインのパラメータを持つ。ダイナミクス４３は、コンプレッサとゲートのタイプがあり、タイプに応じて、閾値、レート、アタック、リリース等のパラメータを持つ。
ｃｈフェーダ４４から出力される信号は、オンスイッチ４５及びＴＯ＿ＳＴスイッチ４６を、それぞれ、対応するオンパラメータがオンであれば通過し、パン４７において、パンパラメータに基づきＬ用とＲ用に個別にレベル調整され、それぞれＬとＲのＳＴバス６０に入力される。
【００３７】
また、各ＭＩＸバス７０に信号を送出する経路には、バス１本毎に、プリ／ポスト（ＰＲＥ／ＰＯＳＴ）スイッチ５１、センドレベルフェーダ５２、およびセンドオンスイッチ５３を含むセンド部を設けている。これらのセンド部では、送出先のバス毎に、ＰＲＥ／ＰＯＳＴスイッチ５１において、入力ｃｈ４０の経路のうちのプリ／ポストパラメータに応じた位置（ＰＲＥならｃｈフェーダ４４の前、ＰＯＳＴならオンスイッチ４５の後）の信号が選択され、該選択された信号は、センドレベルフェーダ５２において、センドレベルパラメータに基づき当該バスでのミキシングに適したレベルに調整され、センドオンスイッチ５３を、対応するオンパラメータがオンであれば通過し、送出先のバスに入力される。
【００３８】
入力ｃｈのパラメータには、チャンネル名、アイコン、各種マーク等の、そのｃｈの信号処理の態様には直接関与しないパラメータも含まれる。ユーザは、そのｃｈのチャンネル名として、任意の文字列を設定することができる。
また、ユーザは、そのｃｈのアイコンとして、ボーカル、ギター、ピアノ等の複数のアイコンの中から所望のアイコンを１つ選択することができる。そして、タッチスクリーン１０２にそのｃｈのパラメータを表示するときには、補助情報として、そのｃｈのチャンネル名やアイコンが一緒に表示される。
【００３９】
ユーザは、任意のマークを定義して、その定義されたマークを所望のｃｈに付与することもできる。例えば、「要調整」、「ドラムセットＡ」、「バンドＣ」、「レコーダＢ」などのマークが考えられる。このマークは検索のために設けられており、チャンネルの検索条件としてユーザが所望のマークを指定することにより、そのマークが付与されたチャンネルを抽出される。入力ｃｈのパラメータとして、さらに、検索用の文字列であるキーワードを記憶し、各ｃｈに任意のキーワードを付与して、そのキーワードでチャンネルを検索できるようにしてもよい。
【００４０】
なお、図３には、１つの入力ｃｈの構成のみを詳細に示したが、他の１５の入力ｃｈも同様な構成を有し、ＳＴバス６０及び各ＭＩＸバス７０では、それら１６の入力ｃｈから入力する信号を混合することができる。
また、ここでは図示は省略するが、ＭＩＸ出力ｃｈ８２は、入力ｃｈ４０のアッテネータ４１からオンスイッチ４５までと同様な構成を有し、ＭＩＸバス７０の対応する系統から出力される音響信号を、入力ｃｈ４０の場合と同様な構成のパラメータ（センド部のパラメータを除く）に従って処理して、出力パッチによる接続先へ出力する。また、ＳＴ出力ｃｈ８１も、Ｌ側とＲ側で信号処理に用いるパラメータが連動している点以外はＭＩＸ出力ｃｈ８２と同様な構成である。
【００４１】
ところで、以上説明してきたデジタルミキサ１０は、オーディオネットワークＩ／Ｏ１９を用いて、他の機器が接続されたオーディオネットワークに接続し、該ネットワークで接続された複数の機器を、全体として１つのミキサシステムとして動作させることができる。ここで、「１つのシステムとして動作」というのは、ネットワークで接続されている複数の機器の動作を、少なくとも１つの機器のユーザインタフェースを用いて制御できることを示す。
【００４２】
図５に示すミキサシステム１はその一例であり、ここでは、１台のＰＣ（パーソナルコンピュータ）２と、デジタルミキサ１０と同じハードウェア構成の２台のデジタルミキサ１０Ａ、１０Ｂとを、オーディオネットワーク３で接続して、１つのミキサシステムを構成している。
【００４３】
オーディオネットワーク３は、所望の機器から別の所望の機器へ、複数ｃｈのオーディオ信号をリアルタイムで伝送すると共に、所望の機器から別の所望の機器へ、パラメータ設定指示やパラメータ値取得等を行うための制御信号も伝送可能なネットワーク（例えば、特開２００７−２５８９６６号公報に記載のネットワーク用インタフェース１０７を参照）である。
【００４４】
通信規格は、任意のものを用いることができる。例えば、ＵＳＢ（商標）、ＩＥＥＥ１３９４（商標）、Ｄａｎｔｅ（商標）、ＥｔｈｅｒＳｏｕｎｄ（商標）等のいずれかを用いてもよい。また、制御信号の伝送だけを行い、オーディオ信号の伝送は行わないネットワークを用いて、オーディオ信号は、別のケーブルないしネットワークで伝送するようにしてもよい。
【００４５】
さらに言えば、送信先の機器をアドレス指定できるネットワークである必要もない。例えば、ミキサのカスケード接続用のケーブル（例えば、特開２００８−２２７７６１号公報のカスケードＩ／Ｏ１７を参照）や、ＭＡＤＩ（商標）のケーブルであっても、デジタルのオーディオ信号と制御信号の伝送は可能である。とにかく、ミキサシステム１の構成には、何らかの通信媒体により、機器間で制御信号が伝送できていればよい。
【００４６】
ＰＣ２は、ハードウェアとしては、ＣＰＵ、ＲＯＭ、ＲＡＭ、ＨＤＤ（ハードディスクドライブ）、通信Ｉ／Ｆ（インターフェース）等を備えた公知のものでよい。ＰＣ２のＯＳ上でＤＡＷアプリを実行させた場合、ネットワーク３等を介して、デジタルミキサ１０Ａ乃至１０ＢからＰＣ２に供給される音響信号や、オーディオトラックで再生された音響信号に対し、ＲＡＭ中のカレントメモリに記憶した複数のパラメータの値に基づいてＰＣ２で種々の信号処理を施して、その処理後の音響信号を、別のオーディオトラックに録音したり、ネットワーク３等を介して、ＰＣ２からデジタルミキサ１０Ａ乃至１０Ｂに供給することができる。さらに、ＰＣ２自身にオーディオＩ／Ｆを設け、外部から音響信号を直接入力して信号処理したり、信号処理後の音響信号を直接外部へ出力できるようにしてもよい。
【００４７】
ここで、ＰＣ２が実行する信号処理は、デジタルミキサ１０Ａ，１０Ｂと同様な、或いは、規模乃至構成が異なるミキシング処理であってもよいし、イコライザ処理、コンプレッサ処理、リバーブ処理、３次元定位制御処理、等の各種エフェクト処理のうちの１乃至複数に特化したものであってもよい。
【００４８】
また、デジタルミキサ１０Ａ（又は１０Ｂ）は、それぞれ、波形Ｉ／Ｏ１８を介して外部から入力する音響信号や、ネットワーク３等を介してデジタルミキサ１０Ｂ（又は１０Ａ）乃至ＰＣ２から供給される音響信号に対し、当該デジタルミキサのカレントメモリに記憶した複数のパラメータの値に基づいて種々の信号処理を施して、その処理後の音響信号を、波形Ｉ／Ｏ１８を介して外部に出力したり、ネットワーク３等を介して、デジタルミキサ１０Ｂ（又は１０Ａ）乃至ＰＣ２に供給する。
【００４９】
デジタルミキサ１０Ａ及び１０Ｂが実行する信号処理は、図２及び図３を用いて説明したような１台ごとに個別のミキシング処理であってもよいし、１つのミキシング処理を複数台の機器で部分的に分担する（例えば、特開２００７−２５８９６６号公報の図４や、特開２００８−２２７７６１号公報の図４を参照）ようにしてもよい。何れのタイプの信号処理を行う場合であっても、ＰＣ２及びデジタルミキサ１０Ａ，１０Ｂのそれぞれに、パラメータの値を調整すべき複数のｃｈ（入力ｃｈ及び出力ｃｈ）が存在している。
そして、このミキサシステム１では、ＰＣ２及びデジタルミキサ１０Ａ，１０Ｂのうちの何れか１つの機器のユーザインタフェースを用いて、ＰＣ２及びデジタルミキサ１０Ａ，１０Ｂの３機器のパラメータの値を変更することができる。
【００５０】
次に、デジタルミキサ１０の操作パネルの構成について説明する。
図６は、その操作パネルの概略構成を示す図である。
デジタルミキサ１０は、図６に示すような構成の操作パネル１００を有しており、この上に、センドレベル設定部１０１、タッチスクリーン１０２、複数のｃｈストリップ１２０を備える割当ｃｈストリップ部１１０、各種キー１３０、出力レイヤ選択キー群１４０、入力レイヤ選択キー群１５０、ユーザレイヤ選択キー群１６０、カーソルキー１８１、増減キー１８２、ロータリーエンコーダ１８３、エンタキー１８４をはじめとする各種のユーザインタフェースを設けている。これらの各構成要素は、図１における表示器１５、電動フェーダ１６及びその他操作子１７に対応するものである。
【００５１】
このうちセンドレベル設定部１０１は、ｃｈストリップ１２０にそなえる選択キー１２２により現在選択されている入力ｃｈから各系統のＭＩＸバス７０への信号送出経路におけるセンドレベルフェーダ５２についてのセンドレベルパラメータを設定するための１６のロータリーエンコーダを備える。
このうちタッチスクリーン１０２は、ＬＣＤにタッチパネルを積層し、信号処理に使用するパラメータの値の参照や設定の受付を行うためのＧＵＩを表示すると共に、ユーザからの操作を受け付ける受付部である。
【００５２】
割当ｃｈストリップ部１１０は、入力ｃｈ又は出力ｃｈの１ｃｈ分のパラメータの値を編集するための縦帯状のｃｈストリップ１２０を８つ横方向に連結した状態で有し、その各ｃｈストリップ１２０に、出力レイヤ選択キー群１４０、入力レイヤ選択キー群１５０及びユーザレイヤ選択キー群１６０のいずれかに含まれるレイヤ選択キーの操作により選択したレイヤのｃｈを割り当てて、その割り当てられたｃｈのパラメータを編集するための操作部として使用するセクションである。
【００５３】
そして、各ｃｈストリップ１２０は、ｃｈノブ１２１、選択キー１２２、オンキー１２３、およびフェーダ１２４を備えている。
このうち、ｃｈノブ１２１は、ノブの回転量を操作量として検出することができるロータリーエンコーダである。そして、詳細な説明は省略するが、このｃｈノブ１２１には、タッチスクリーン１０２に表示させる画面上の操作子を割り当て、その操作子と対応するパラメータの値の編集に使用することができる。
【００５４】
選択キー１２２は、そのｃｈストリップに割り当てられたｃｈの選択／非選択を設定するための操作子である。デジタルミキサ１０のＣＰＵ１１は、ユーザによる選択キー１２２の操作に従って、操作された選択キー１２２が属するｃｈストリップ１２０に割り当てられているｃｈを選択すると共に、それまでに選択されていたｃｈの選択を解除する。
オンキー１２３は、そのｃｈストリップに割り当てられたｃｈのオン／オフ（ｃｈストリップに入力ｃｈが割り当てられている場合には、図３に示したオンスイッチ４５のオン／オフ）を設定するための操作子である。
【００５５】
フェーダ１２４は、そのｃｈストリップに割り当てられたｃｈの信号レベル（ｃｈストリップに入力ｃｈが割り当てられている場合には、図３に示したｃｈフェーダ４４におけるレベルの調整内容）を設定するための操作子である。
また、フェーダ１２４のつまみはモータにより駆動可能であり、デジタルミキサ１０のＣＰＵ１１は、レイヤの変更、パラメータ値の読み出し、別の操作子によるパラメータの編集などにより、フェーダ１２４と対応するパラメータの値に変更があった場合に、モータを駆動して、つまみを変更後の値と対応する位置に移動させる。
【００５６】
次に、出力レイヤ選択キー群１４０、入力レイヤ選択キー群１５０及びユーザレイヤ選択キー群１６０はそれぞれ、割当ｃｈストリップ部１１０の各ｃｈストリップ１２０に、入力ｃｈ４０あるいはＭＩＸ出力ｃｈ８２等のチャンネルを割り当てるレイヤを選択するためのレイヤ選択キーのグループである。
【００５７】
出力レイヤ選択キー群１４０としては、１６のＭＩＸ出力ｃｈ８２を８つずつ２つのレイヤに分け、第１出力レイヤ（１〜８番目のＭＩＸ出力ｃｈ）及び第２出力レイヤ（９〜１６番目のＭＩＸ出力ｃｈ）を選択するための、ｏ１とｏ２の２つのレイヤ選択キーを設けている。
入力レイヤ選択キー群１５０としては、２４の入力ｃｈ４０を８つずつ３つのレイヤに分け、第１入力レイヤ（１〜８番目の入力ｃｈ）、第２入力レイヤ（９〜１６番目の入力ｃｈ）、第３入力レイヤ（１７〜２４番目の入力ｃｈ）を選択するための、ｉ１〜ｉ３の３つのレイヤ選択キーを設けている。
【００５８】
そして、ユーザによる、出力レイヤ選択キー群１４０及び入力レイヤ選択キー群１５０の何れか１のレイヤ選択キーの操作に応じて、操作された１のレイヤ選択キーに対応する１のレイヤが選択され、選択されたレイヤに属する８つのｃｈが割当ｃｈストリップ部１１０の８つのｃｈストリップに割り当てられる。
このとき、タッチスクリーン１０２には、該８つのｃｈのパラメータを表示する８つのチャンネルストリップ画像を含むレイヤ画面が表示される。特開２００７−０７４３５９号公報には、そのようなレイヤ画面の具体的な例（図７）が開示されている。そして、該レイヤ画面は、ユーザによるレイヤ選択操作に応じて、タッチスクリーン１６に表示される（図１１）。
【００５９】
図５に示したように、複数の機器をネットワークで接続してミキサシステム１を構成し、デジタルミキサ１０（１０Ａ又は１０Ｂ）のユーザインタフェースを用いてシステムを制御する場合には、出力レイヤ選択キー群１４０と入力レイヤ選択キー群１５０のレイヤ選択キーだけでは選択できるレイヤ数が不足するので、さらに、各種キー１３０の中にその各機器を選択する機器選択キーを設け、それらの組み合わせにより１つのレイヤを選択するようにすればよい。
【００６０】
より具体的に説明すると、ユーザによる１の機器選択キーの操作に応じて、ミキサシステム１の複数の機器のうちのその機器選択キーに対応した１の機器を制御対象機器として選択するとともに、ユーザによる１のレイヤ選択キーの操作に応じて、制御対象機器のレイヤのうちの１のレイヤを選択して、選択されたレイヤに属する８つのｃｈを、割当ｃｈストリップ部１１０の８つのｃｈストリップに割り当てるようにすればよい。
これにより、デジタルミキサ１０Ａの割当ｃｈストリップ部１１０の８つのｃｈストリップに、ミキサシステム１の所望の機器の所望のレイヤの８つのｃｈを割り当てることができ、デジタルミキサ１０Ａのユーザインタフェースを用いてミキサシステム１を制御することができるようになる。なお、これと同様のミキサシステムの制御は、特開２００８−２２７７６１号公報の図１３及び図１５にも開示されている。
【００６１】
また、ユーザレイヤ選択キー群１６０としては、ユーザの設定に従ったｃｈを１〜８番目のｃｈストリップ１２０に割り当てる６つのユーザレイヤを選択するための、ｕ１〜ｕ６の６つのレイヤ選択キーを設けている。
ここで、ユーザは、各レイヤにおいてｃｈストリップ１２０に割り当てるｃｈを、１ｃｈずつ個別に設定することもできるし、条件を設定してその条件に該当するｃｈを抽出して設定することもできる。また、抽出結果をもとに割り当て内容を編集することもできる。このユーザレイヤに関する機能がこの実施形態の一つの特徴であり、この点については、後に詳述する。
【００６２】
カーソルキー１８１は、タッチスクリーン１０２に表示されたＧＵＩ中でカーソルを移動させるためのキーである。増減キー１８２は、そのカーソルのある位置のパラメータの値を編集するためのキーである。ロータリーエンコーダ１８３も、同様にパラメータの値を編集するための操作子である。エンタキー１８４はその編集結果を確定させるためのキーである。
【００６３】
次に、上述したユーザレイヤの機能について、より詳細に説明する。
まず図７及び図８に、各種キー１３０に含まれる画面選択キー、あるいはタッチスクリーン１０２に対する所定のユーザ操作に応じて、タッチスクリーン１０２に表示される画面であって、ユーザレイヤにおけるｃｈ割り当ての設定を受け付けるための画面の例を示す。
デジタルミキサ１０において、ユーザレイヤは、抽出チャンネル（Extracted  Channel:  ＥＣ）タイプと指定チャンネル（Designated  Channel:  ＤＣ）タイプの２つのタイプで用いることができる。ＥＣタイプは、ユーザが設定した検索条件に該当するｃｈを、デジタルミキサ１０が備えるｃｈやデジタルミキサ１０から制御可能な他の機器が備えるｃｈの中から抽出し、その抽出したｃｈをｃｈストリップ１２０に割り当てるタイプである。ＤＣタイプは、ｃｈストリップ１２０に割り当てるｃｈをユーザが個別に設定するタイプである。
【００６４】
これらのタイプは、ｕ１〜ｕ６のキーと対応する６つのレイヤそれぞれについて、任意に選択可能である。図７に示すのが、レイヤをＥＣタイプに設定した場合のユーザレイヤ設定画面の例、図８に示すのが、レイヤをＤＣタイプに設定した場合のユーザレイヤ設定画面の例である。
まず、図７に示すユーザレイヤ設定画面２００には、レイヤ選択ボタン群２１０とレイヤ設定部２２０とを設けている。このうちレイヤ選択ボタン群２１０は、レイヤ設定部２２０において割り当て内容を設定するレイヤを選択するためのボタンであり、６つのユーザレイヤｕ１〜ｕ６と対応する６つのボタンを設けている。また、各ボタンには、そのレイヤのタイプが現在ＤＣタイプとＥＣタイプの何れに設定されているかが表示されている。
【００６５】
図７では、ＥＣタイプに設定されているユーザレイヤｕ３が選択された状態を示しており、レイヤ設定部２２０には、これに対応してＥＣタイプの設定を受け付けるためのＧＵＩが表示されている。
ＥＣタイプにおいては、レイヤ設定部２２０には、ＤＣタイプ選択ボタン２２１、ＥＣタイプ選択ボタン２２２、割り当てｃｈ表示部２２３、スクロールボタン２２４，２２５、検索条件設定部２３０、検索範囲選択部２４１、アンド／オア選択部２４２を設けている。
【００６６】
これらのうちＤＣタイプ選択ボタン２２１、ＥＣタイプ選択ボタン２２２は、選択したユーザレイヤのタイプを選択するためのボタンであり、いずれかを押下することによりＤＣタイプとＥＣタイプを択一的に選択して、当該ユーザレイヤｕ３のタイプとして設定することができる。ここではＥＣタイプ選択ボタン２２２の太枠により、ＥＣタイプが選択された状態を示している。ここでユーザがＤＣタイプ選択ボタン２２１を操作して、当該ユーザレイヤｕ３がＥＣタイプからＤＣタイプに変更された場合には、レイヤ選択ボタン群２１０では、ユーザレイヤｕ３のレイヤ選択ボタンが選択された状態のまま、レイヤ設定部２２０の表示形式が、図７の形式から図８の形式に変化する。
【００６７】
割り当てｃｈ表示部２２３は、当該ユーザレイヤｕ３に現在設定されている検索条件で検索した場合に、抽出されるｃｈを表示する表示部である。図７のユーザレイヤ設定画面が表示されている場合及び、当該ユーザレイヤｕ３に対応するレイヤ選択キーをユーザが操作した場合には、この割り当てｃｈ表示部２２３に表示されているｃｈが８つのｃｈストリップ１２０にそれぞれ割り当てられることになる。
【００６８】
スクロールボタン２２４，２２５は、ｃｈストリップ１２０に割り当てるｃｈの候補として抽出されたｃｈが８ｃｈ以上ある場合に、その中で実際にｃｈストリップ１２０に割り当てるｃｈを前方向、後方向に８ｃｈずつ切り替えるためのボタンである。
例えば、検索条件が変更されたとき（当該ユーザレイヤのレイヤ選択ボタンが初めて操作されたとき）、その検索条件で抽出されたｃｈが２２ｃｈであれば、最初はその中の１〜８番目のｃｈをｃｈストリップに割り当て、スクロールボタン２２５の繰り返し押下に応じて、９〜１６番目、１７〜２２番目（最後２つのｃｈストリップは余りでｃｈが割り当てられない状態になる）と割り当て内容を変更し、次に１〜８番目に戻る（又は、最後の１７〜２２番目を保持する）というように、ページを順次後のページに切り替える感覚で割り当てを切り替えることができる。逆方向も同様であり、スクロールボタン２２４の繰り返し押下に応じて、１７〜２２番目、９〜１６番目、１〜８番目と割り当て内容を変更し、次に１７〜２２番目に戻る（又は、最初の１〜８番目を保持する）ように順次前のページに切り替える。
図７の例では、抽出されたｃｈは６つのみでスクロールは不要であるので、スクロールボタン２２４，２２５は無効化されている。
【００６９】
検索条件設定部２３０は、ｃｈストリップ１２０に割り当てるｃｈを抽出するための検索条件の設定を受け付けるためのエリアである。そしてここには、パラメータグループ選択欄２３１、パラメータ選択欄２３２、オプション選択欄２３３、値指定欄２３４、条件追加ボタン２３５及び条件削除ボタン２３６を設けている。図７に示す１行分の各欄が、１つの条件を示し、複数の条件を組み合わせて検索条件を設定することができる。
【００７０】
まず、パラメータグループ選択欄２３１及びパラメータ選択欄２３２は、条件に用いるパラメータを選択するための欄である。ユーザは、パラメータグループ選択欄２３１で大まかにグループを選択し（「基本」、「ＥＱ」、「Ｄｙｎａ」、「Ｓｅｎｄ」の何れか１つを選択）、パラメータ選択欄２３２で、そのグループに属する個別のパラメータを選択することができる。
【００７１】
オプション選択欄２３３及び値指定欄２３４は、パラメータグループ選択欄２３１及びパラメータ選択欄２３２で選択されたパラメータが満たすべき条件の詳細を設定するための欄である。オプション選択欄２３３では、図７に示す例の、「＊と一致」、「オン状態」、「＊と同類」、「＊より大きい」のように、１つのｃｈのパラメータが単独で満たすべきオプションの他、「＊のｃｈと同じ値」のように、他のｃｈのパラメータとの関係が満たすべきオプションを設定することができるようにしてもよい。また、信号処理に用いるパラメータだけでなく、「チャンネル名が○○である」、「ドラムセットＡのマークが付与されている」、「キーワードに△△を含む」、というように、信号処理に用いないパラメータが満たすべき条件を設定することも可能である。
【００７２】
値指定欄２３４は、オプション選択欄２３３で選択したオプションの「＊」に入る値を指定するための欄である。１行目及び３行目の条件のように、プルダウンメニューで選択させる場合も、４行目の条件のように、値を入力させる場合もあり、２行目の条件のように、値指定欄２３４における指定が不要な場合もある。
【００７３】
オプション選択欄２３３に用意される選択肢は、パラメータの種類と対応させて予め規定しておき、パラメータ選択欄２３２におけるパラメータの選択に応じて変更する。値指定欄２３４における入力形式及び選択肢は、パラメータの種類及びオプション選択欄２３３におけるオプションの選択肢と対応させて予め規定しておき、パラメータ選択欄２３２におけるパラメータの選択及びオプション選択欄２３３におけるオプションの選択に応じて変更する。
条件追加ボタン２３５は、条件を１行追加するためのボタンである。
条件削除ボタン２３６は、対応する条件を１行削除するためのボタンである。
【００７４】
また、検索範囲選択部２４１は、ｃｈを抽出する際の検索範囲の設定を受け付けるエリアである。図７の例では、入力ｃｈ４０、ＭＩＸ出力ｃｈ８２、ＳＴ入力ｃｈ（図３では不図示）、およびＳＴ出力ｃｈ８１につき、検索範囲に加えるか否かを個別に設定できるようにしている。図示は省略しているが、デジタルミキサ１０がオーディオネットワーク３等を介して接続された外部の機器も制御可能である場合、機器毎に検索範囲に加えるか否かを設定できるようにしてもよい。
アンド／オア選択部２４２は、検索条件設定部２３０で設定した各行の検索条件を、アンドで組み合わせて検索するか（アンド）、それともオアで組み合わせて検索するか（オア）の選択を受け付けるエリアである。
【００７５】
以上のレイヤ設定部２２０において設定することができる検索条件としては、例えば、「３番目のＭＩＸバスへのセンドオンスイッチがオン状態に、かつ、同じ３番目のＭＩＸバスへのセンドレベルが−１０ｄＢ以上に設定されている」、「ドラム系のマークが付されていて、かつ、５番目のＭＩＸバスへのセンドオンスイッチがオン状態に設定されている」、「入力ｃｈの入力が、特定のデバイスのｓ番目のスロット（のいずれかの入力ポート）に接続されている」等が考えられる。
【００７６】
ユーザが以上のレイヤ設定部２２０において行った設定内容は、フラッシュメモリ１２に保持される。そして、操作パネル１００において対応するレイヤ選択キーが押下された場合に、その時点の検索条件を参照して、設定された条件に該当するｃｈを抽出し、その抽出したｃｈをｃｈストリップ１２０に割り当てる。このとき、タッチスクリーン１０２には、該割り当てられたｃｈのチャンネルストリップ画像を含むレイヤ画面が表示される。
【００７７】
また、ユーザレイヤ設定画面２００のレイヤ選択ボタン群２１０のボタンにより編集対象のレイヤが選択された場合にも、そのレイヤがＥＣタイプであれば、選択時点で設定される条件に従ってｃｈの検索を行い、ｃｈストリップ１２０へのｃｈの割り当てや割り当てｃｈ表示部２２３の表示を更新するようにしてもよい。
【００７８】
次に、図８においては、ＤＣタイプに設定されているユーザレイヤｕ２が選択された状態を示しており、レイヤ選択ボタン群２１０の表示形式は図７の例と共通であるが、レイヤ設定部２２０には、ＤＣタイプの設定を受け付けるためのＧＵＩが表示されている。
ＤＣタイプにおいては、レイヤ設定部２２０には、ＤＣタイプ選択ボタン２２１、ＥＣタイプ選択ボタン２２２、割り当てｃｈ表示部２２３、ｃｈ選択部２５０を設けている。  
【００７９】
これらのうちＤＣタイプ選択ボタン２２１及びＥＣタイプ選択ボタン２２２は、図７に示したＥＣタイプの場合と同じ機能であり、ここではＤＣタイプ選択ボタン２２１の太枠により、ＤＣタイプが選択された状態を示している。ここでユーザがＥＣタイプ選択ボタン２２２を操作して、当該ユーザレイヤｕ２がＤＣタイプからＥＣタイプに変更された場合には、レイヤ選択ボタン群２１０ではユーザレイヤｕ２のレイヤ選択ボタンが選択された状態のまま、レイヤ設定部２２０の表示形式が、図８の形式から図７の形式に変化する。
【００８０】
割り当てｃｈ表示部２２３は、表示位置がＥＣタイプの場合と異なっているだけでなく、ここで表示されている８つのｃｈが、検索により抽出された８つのｃｈではなく、８つのｃｈストリップ１２０に個別に設定された８つのｃｈである点が、ＥＣタイプでの表示と異なっている。ただし、当該ユーザレイヤｕ２に対応するレイヤ選択キーをユーザが操作した場合に、この表示部に表示されているチャンネルが８つのｃｈストリップ１２０にそれぞれ割り当てられる点では、ＤＣタイプでの表示と同じである。
ここでは、カーソル２２６により、ｃｈ選択部２５０でどのｃｈストリップに割り当てるｃｈの選択を受け付けるかを表示している。ユーザは、各ｃｈストリップと対応する枠をタッチ又はクリックすることにより、そのｃｈストリップを、ｃｈ選択の対象とすることができる。
【００８１】
また、ｃｈ選択部２５０は、ｃｈストリップに割り当てるｃｈの選択を受け付けるためのエリアであり、機器選択欄２５１、ｃｈタイプ選択欄２５２及びｃｈ選択欄２５３を備える。
機器選択欄２５１は、デジタルミキサ１０から制御可能な機器のうちどの機器のｃｈを割り当てるかを選択するエリアである。デジタルミキサ１０が、ネットワークを介して他の機器と接続されていない場合、ここにはデジタルミキサＡ（Mixer  A）のみが表示される。図５のように、ネットワークを介して複数台の機器が接続されている場合には、２台のデジタルミキサ１０Ａ（Mixer  A）及び１０Ｂ（Mixer  B）と、ＰＣ２上で起動されているＤＡＷアプリ（ＤＡＷ）が選択肢として表示される。
【００８２】
ｃｈタイプ選択欄２５２は、機器選択欄２５１で選択した機器が備えるｃｈのうちどのタイプのｃｈを割り当てるかを選択するエリアである。図８の例では、入力(IN)と出力(OUT)が選択可能となっている。この選択肢は、機器によって異なる。
ｃｈ選択欄２５３は、ｃｈタイプ選択欄２５２で選択したタイプのｃｈのうちどのｃｈを割り当てるかを選択するエリアである。図８の例では、５〜１０番目の入力ｃｈが表示されているが、画面をスクロールさせて他の入力ｃｈを表示させることもできる。
【００８３】
ｃｈ選択部２５０において現在選択されているｃｈは、カーソル２５４〜２５６によって示されており、その内容は、割り当てｃｈ表示部２２３の表示にも反映される。
ユーザは、割り当てｃｈ表示部２２３において次々と割り当て対象のｃｈストリップを選択し、ｃｈ選択部２５０で各ｃｈストリップに割り当てるｃｈを個別に変更することができる。
【００８４】
なお、あるユーザレイヤについてＥＣタイプが選択されている状態でユーザがＤＣタイプ選択ボタン２２１をタッチすると、そのレイヤのタイプは直ちにＤＣタイプに切り替わり、レイヤ設定部２２０の表示内容も直ちに図８を用いて説明したものに切り替わるが、その際、ＤＣタイプに設定変更された当該ユーザレイヤにおける、８つのｃｈストリップへの割り当てｃｈの初期値として、それまでＥＣタイプの画面で割り当てｃｈ表示部２２３に表示されていた８つのｃｈが自動設定される。そして、ユーザは、ＤＣタイプのレイヤ設定部２２０を用いて、ＥＣタイプでｃｈの検索結果に基づいてなされた割り当て内容をｃｈストリップ毎に編集することができる。
従って、ＥＣタイプにおけるｃｈの抽出結果が一部ユーザの意図と異なった場合には、レイヤをＤＣタイプに切り替えることにより、割り当て内容の微調整を行うことができる。
【００８５】
なお、ここではＤＣタイプにおいてはＥＣタイプのような割り当ての「ページ切り替え」は想定していないので、ＥＣタイプでの検索において抽出されたｃｈの数が８より多い場合、ＤＣタイプに移行した時点で割り当てｃｈ表示部２２３に表示されていたｃｈを、ＤＣタイプでの割り当てｃｈとして引き継ぐようにしている。しかし、ＤＣタイプでも「ページ切り替え」を可能とする場合、ＥＣタイプでの検索結果を全てＤＣタイプでの割り当て内容に引き継げるようにしてもよい。
【００８６】
また、あるユーザレイヤについてＤＣタイプが選択されている状態でユーザがＥＣタイプ選択ボタン２２２をタッチすると、そのレイヤのタイプは直ちにＥＣタイプに切り替わり、レイヤ設定部２２０の表示内容も直ちに図７を用いて説明したものに切り替わるが、この場合には、検索条件が何も設定されていない状態に初期化される。
【００８７】
なお、ユーザレイヤの設定を記憶するライブラリを設けて、ＥＣタイプに設定されたユーザレイヤについては図７で設定される１乃至複数の検索条件を、ＤＣタイプに設定されたユーザレイヤについては図８で設定される各チャンネルストリップへの割り当てｃｈ（チャンネル構成）を、それぞれ１のライブラリデータとしてストアし、所望のタイミングで、ライブラリから選択して、ユーザレイヤにリコールできるようにしてもよい。また、あるユーザレイヤのＥＣタイプあるいはＤＣタイプの設定を、別のユーザレイヤにレイヤ間コピーできるようにしてもよい。また、ライブラリデータがリコールされた場合に、リコール先のユーザレイヤが選択されたものとして、ライブラリデータが示すタイプに応じた各ｃｈストリップへのｃｈの割り当てを行うようにしてもよい。
【００８８】
次に、図９に、デジタルミキサ１０が保持するユーザレイヤに関するデータを示す。
デジタルミキサ１０は、ユーザレイヤの設定データとして、図９（ａ）に示すユーザレイヤデータをフラッシュメモリ１２に保持しており、また、一時的なデータとして、図９（ｂ）に示す抽出ｃｈテーブルをＲＡＭ１３に保持している。
ユーザレイヤデータは、１番目から６番目のユーザレイヤにぞれぞれ対応する６つのユーザレイヤデータを含む。そして、各ユーザレイヤデータは、そのユーザレイヤに設定されたタイプ（ＤＣ又はＥＣ）を示すタイプデータを含んでおり、設定されたタイプに応じて異なるデータ形式を有する。
【００８９】
まず、ＤＣタイプに設定されたユーザレイヤの場合、そのユーザレイヤのユーザレイヤデータは、８つのｃｈストリップのそれぞれに割り当てるｃｈがどの機器のどのｃｈであるかを特定するデータを、第１〜第８ｃｈ指定データとして含む。これら第１〜第８ｃｈ指定データが特定する８つのｃｈは、図８に示したユーザレイヤ設定画面の割り当てｃｈ表示部２２３にて表示され、ｃｈ選択部２５０を用いて個別に変更することができる。
【００９０】
また、ＥＣタイプに設定されたユーザレイヤの場合、そのユーザレイヤデータは、割り当てるｃｈを直接特定するデータではなく、割り当てるｃｈの検索に用いる各種データを含む。このデータには、図７に示したユーザレイヤ設定画面において、検索範囲選択部２４１で設定された検索範囲を示す検索範囲データ、アンド／オア選択部２４２で設定されたアンド又はオアの選択を示すアンド／オアフラグ、及び、検索条件設定部２３０で設定された複数の検索条件を示す第１〜第ｎ条件データが含まれる。
【００９１】
また、抽出ｃｈテーブルは、ＥＣタイプのユーザレイヤデータに含まれる検索条件に従って行った検索の結果を一時的に格納するテーブルである。抽出ｃｈ数ＥＣＮは、検索により抽出されたｃｈの数を示し、抽出ｃｈデータＥＣＤ（０）〜ＥＣＤ（ＥＣＮ−１）は、抽出されたＥＣＮ個のｃｈそれぞれを特定するデータである。ＥＣタイプのレイヤにおけるｃｈストリップへのｃｈの割り当ては、この抽出ｃｈテーブルのデータに基づいて行う。
なお、ここではレイヤを切り替える毎に検索をやり直すようにしているため、抽出ｃｈテーブルは１つしか設けていない。
【００９２】
次に、図１０に、ユーザレイヤ選択キー群１６０中の何れかのレイヤ選択キーが押下された、すなわち、ユーザが１のユーザレイヤを選択した場合にデジタルミキサ１０のＣＰＵ１１が実行する処理のフローチャートを示す。
ＣＰＵ１１は、操作パネル１００においてｉ番目のユーザレイヤと対応するレイヤ選択キーｕｉのオンイベントを検出すると、図１０のフローチャートに示す処理を開始する。  
【００９３】
そして、まず図９（ａ）に示したｉ番目のユーザレイヤデータＵＬｉに含まれるタイプデータを参照し、ｉ番目のユーザレイヤのタイプを判別する（Ｓ１１）。
これがＤＣタイプであれば、ユーザレイヤデータＵＬｉ中の第１〜第８ｃｈ指定データを参照し、該データが特定する最大８つのｃｈを、８つのｃｈストリップ１２０にそれぞれ割り当てる（Ｓ１２）。その後、割り当てたｃｈのパラメータの値に従い、各ｃｈストリップ１２０におけるフェーダ１２４のつまみの位置や、オンキー１２３のオンオフ状態の表示等を変更するとともに、タッチスクリーン１０２に、ｃｈストリップ１２０に割り当てた最大８ｃｈのチャンネルストリップ画像を含むレイヤ画面を表示して、処理を終了する（Ｓ１３）。
【００９４】
一方、ステップＳ１１でＥＣタイプであれば、今回のオンイベントが、同じレイヤ選択キーが続けてオンされたことに係るものであるか否か判断する（Ｓ１４）。そして、これがＮＯであれば、ユーザレイヤデータＵＬｉ中の検索範囲データ、アンド／オアフラグ、及び第１〜第ｎ条件データを参照し、デジタルミキサ１０（またはミキサシステム１）のうち検索範囲データが示す検索範囲に含まれる全ｃｈの中から、第１〜第ｎ条件データが示すｎ個の検索条件をアンド／オアフラグが示すアンドまたはオアで結合した条件に合致する（該結合された条件を満たす）ｃｈを抽出し、抽出されたｃｈの数を示す抽出ｃｈ数ＥＣＮと、抽出された各ｃｈを示す抽出ｃｈデータＥＣＤ（０）〜ＥＣＤ（ＥＣＮ−１）
とを図９（ｂ）に示した抽出ｃｈテーブルに格納する（Ｓ１５）。
【００９５】
その後、ページ番号ｐに初期値として先頭ページ番号である０を、最終ページ番号ＰＮに、ステップＳ１５で抽出したｃｈの数である抽出ｃｈ数ＥＣＮから１を引いた数を割当ｃｈストリップ部１１０に含まれるｃｈストリップ数（ここでは８）で割った商を設定する（Ｓ１６）。これは、抽出されたＥＣＮ個のｃｈをｃｈストリップ数（８）ずつページ分割すると、第０ページ〜第ＰＮページの、全（ＰＮ＋１）ページに分割されるということを意味する。
【００９６】
そして、抽出ｃｈテーブルの抽出ｃｈデータＥＣＤ（０）〜ＥＣＤ（ＥＣＮ−１）のうちの第ｐページに属する抽出データ、すなわち、抽出ｃｈデータＥＣＤ（８×ｐ）から始まる最大８データを取り出し、該取り出された最大８データが示す最大８ｃｈを８つのｃｈストリップ１２０に割り当てる（Ｓ１８）。この割り当てを行うことにより、ステップＳ１５で抽出したｃｈが割り当てられたｃｈストリップを用意することができる。その後、各ｃｈストリップのフェーダのつまみ位置等の調整や、割り当てた最大８ｃｈのｃｈストリップ画像を含むレイヤ画面の表示を行い（Ｓ１３）、処理を終了する。
【００９７】
以上の処理は、直前のものと異なるＥＣタイプのレイヤ選択キーが操作された場合に、設定されている抽出条件に従って抽出したｃｈをｃｈストリップ１２０に割り当てるためのものである。
なお、ステップＳ１４における判定では、同じユーザ選択キーが続けて操作されたとしても、そのユーザレイヤ選択キーが操作された後に、何れかのｃｈの何れかのパラメータの値が変更されてから、そのユーザレイヤ選択キーが再び操作された場合には、（その変更により検索結果が変化する可能性があるので）「ＮＯ」に分岐し、あるユーザレイヤ選択キーが操作された後に、何れのｃｈのパラメータの値も変更されることなく、そのユーザレイヤ選択キーが再び操作された場合（すなわち、検索結果に変化が生じない場合）にのみ「ＹＥＳ」に分岐するようにするとよい。
【００９８】
一方、ステップＳ１４でＹＥＳの場合、ページ番号ｐをインクリメントし、最終ページ番号ＰＮを超えたら０に戻す（Ｓ１７）。その後、抽出ｃｈテーブルから第ｐページの抽出データ（ＥＣＤ（８×ｐ）から始まる最大８データ）を取り出し、該取り出された最大８データが示す最大８ｃｈを８つのｃｈストリップ１２０に割り当てる（Ｓ１８）。その後、各ｃｈストリップのフェーダのつまみ位置等の調整や、割り当てた最大８ｃｈのｃｈストリップ画像を含むレイヤ画面の表示を行い（Ｓ１３）、処理を終了する。
【００９９】
以上の処理は、同じレイヤ選択キーが続けて操作された場合に、抽出をやり直すことなく、抽出結果のうち最初に割り当てきれなかったｃｈをｃｈストリップ１２０に割り当てるためのものである。なお、抽出結果が８ｃｈ以下であり、一度に全てのｃｈを割り当てることができる場合（最終ページ番号ＰＮが０である場合）、ステップＳ１７の処理によってもｐは０のままであるので、ｃｈの割り当て内容は変化しないことになる。
【０１００】
以上の処理において、ステップＳ１５ではＣＰＵ１１が抽出部として機能し、ステップＳ１８ではＣＰＵ１１が第１の用意部として機能する。
デジタルミキサ１０は、以上の処理を行うことにより、多数のｃｈを制御する場合であっても、その中から所望の条件を満たすｃｈをワンタッチでｃｈストリップ１２０に割り当てることができるため、パラメータの編集を希望するｃｈのｃｈストリップを備えたチャンネルストリップ部を、簡単な操作でユーザに提供できる。なお、この割り当ては、連続的に（途中にｃｈを割り当てないｃｈストリップがないように）行うことが好ましい。
【０１０１】
また、抽出結果のｃｈ数がｃｈストリップ数を超えている場合に、抽出結果の一部ずつを順次切り替えて割り当てることができるようにすれば、条件を満たすｃｈの数を気にすることなく検索条件を設定することができる。
また、ＥＣタイプのユーザレイヤにおいて抽出条件により抽出されたｃｈを、ＤＣタイプのユーザレイヤのｃｈ指定データの初期値として引き継げるようにすれば、その時点でその抽出条件により抽出され、ｃｈストリップ１２０に割り当てられたｃｈを、ＤＣタイプのユーザレイヤに（どのｃｈのどのパラメータが変更されても変化しない）固定的な割り当てｃｈとして定着させることができる。さらに、ＤＣタイプのユーザレイヤであれば、各ｃｈ指定データを任意に変更できるため、検索ではユーザの望みどおりのｃｈが抽出できなかった場合でも、望みどおりのｃｈとなるようその一部を修正することができる。  
【０１０２】
以上で実施形態の説明を終了するが、装置の構成や具体的な処理内容、画面の表示内容、操作方法等が上述の実施形態で説明したものに限られないことはもちろんである。
例えば、上述した実施形態では、ＥＣタイプのユーザレイヤについては、同じレイヤ選択キーを続けて押下することによりページの切り替えを行う例について説明したが、操作パネル１００あるいは適当なＧＵＩに、ページ切り替えの操作を受け付けるための操作部を設けてもよい。このようにする場合、同じレイヤ選択キーが続けて押下された場合でも、レイヤ選択キーを押下する毎にｃｈの抽出処理を新規に行うようにすることができる。
【０１０３】
また、ＥＣタイプのユーザレイヤにおけるｃｈの検索を行うための検索条件を、複数のスイッチと対応させて設定しておき、スイッチの操作によりそれらの検索条件を任意に組み合わせて用いることができるようにしてもよい。スイッチＡ〜Ｃと対応させて条件Ａ〜Ｃをそれぞれ登録しておき、スイッチＡ〜Ｃをトグルでオンオフできるようにし、オンになっているスイッチと対応する条件をアンドで用いて検索を行う等である。この場合、スイッチＡのみがオンである場合、条件Ａを用いて抽出を行う。そして、その状態でスイッチＢをオンすることにより、条件Ａと条件Ｂをアンドで用いて抽出を行い、初めの抽出結果を条件Ｂを用いて絞り込むことができる。同様に、スイッチＣをオンすることにより、条件Ｃを用いて絞り込むことができる。もちろん、アンドに代えてオア検索を行うことができるようにしてもよい。
【０１０４】
また、ＰＣで実行されるＤＡＷアプリにおいても、ＥＣタイプのユーザレイヤと同様に、ユーザが、検索条件を設定し、その後の抽出指示に応じて、該設定された検索条件でｃｈの検索を行い、ＰＣのディスプレイ上に、抽出されたｃｈが割り当てられたｃｈストリップのみからなるミキサウィンドウに表示させる（他のｃｈが割り当てられたｃｈストリップは、「Hide」の設定を有効化する）ようにしてもよい。
【０１０５】
そして、ユーザがディスプレイに表示された所望の操作子の画像をポインティングデバイス(マウス等)で操作することにより、そのｃｈストリップに割り当てられているｃｈの、その操作子に割り当てられているパラメータの値を変更することができる。この場合、各ｃｈストリップにおける「Hide」の設定及び解除を示すデータは、そのｃｈストリップをｃｈストリップ部に用意するか否かを定めるデータであるということができる。
また、ミキサウィンドウは横方向にスクロールできるので、横方向に並べる縦帯状のｃｈストリップの数に制限はなく、検索条件により抽出された全てのｃｈを、１つのミキサウィンドウに表示することができる。
【０１０６】
また、ＰＣ２でＤＡＷアプリを使用するとき、しばしば、専用ユーザインタフェースとして、所定数のｃｈストリップが備えられた物理的コントローラ４が接続される（図１１参照）。例えば、Steinberg社のHouston（商標）や、Mackie社のMackie Control（商標）が代表的である。この場合のｃｈの割り当ては、デジタルミキサ１０の場合と同様であり、検索により抽出されミキサウィンドウにｃｈストリップが表示されている複数ｃｈを、物理的コントローラの所定数のｃｈストリップに、そのｃｈストリップ数ずつ、複数ページにわたって、順次割り当てていくようにすればよい。
【０１０７】
このような構成を採用する場合でも、ユーザレイヤデータ及び抽出ｃｈテーブル（ここではトラックを抽出するので「抽出トラックテーブル」となる）は図９に示したものと同様でよい。しかし、ＤＣタイプにおいて画面に表示させるｃｈストリップの数に制限がないため、トラック数のデータと、そのトラック数分のトラック指定データを設けるとよい。
【０１０８】
図１２に、上述のように「Ｈｉｄｅ」の設定を利用する場合にＤＡＷアプリを実行するＰＣのＣＰＵが行う処理の例を示す。
この場合ＰＣのＣＰＵは、所定のＧＵＩにおいてｉ番目のユーザレイヤを選択するためのｉ番目のレイヤ選択ボタンのオンイベントを検出すると、図１２のフローチャートに示す処理を開始する。
【０１０９】
そして、まずユーザレイヤデータを参照し、操作されたレイヤ選択ボタンと対応するｉ番目のユーザレイヤのタイプを判別する（Ｓ２１）。これがＤＣタイプであれば、ユーザレイヤデータを参照し、ｉ番目のユーザレイヤに設定されているトラックのｃｈストリップについて、画面に表示させないことを示す「Ｈｉｄｅ」の設定を解除し、他のトラックのｃｈストリップについて「Ｈｉｄｅ」を設定する（Ｓ２２）。その後、変更後の設定に従って画面の表示を更新し（Ｓ２３）、処理を終了する。
【０１１０】
一方、ステップＳ２１でＥＣタイプであれば、ユーザレイヤデータを参照し、ｉ番目のユーザレイヤについて設定されている検索条件に従い、トラックの抽出を実行し、結果を抽出トラックテーブルに格納する（Ｓ２４）。そして、抽出トラックテーブルに格納されているトラックのｃｈストリップについて「Ｈｉｄｅ」の設定を解除し、他のトラックのｃｈストリップについて「Ｈｉｄｅ」を設定し（Ｓ２５）、変更後の設定に従って画面の表示を更新して（Ｓ２３）、処理を終了する。
【０１１１】
以上の処理において、ステップＳ２４ではＣＰＵ１１が抽出部として機能し、ステップＳ２３ではＣＰＵ１１が表示制御部として機能する。また、ステップＳ２５ではＣＰＵ１１が第１の用意部として機能する。すなわち、ステップＳ２５の処理により、ステップＳ２４で抽出したトラックが割り当てられたｃｈストリップを用意することができる。
ＤＡＷアプリを実行するＰＣのＣＰＵが以上の処理を行うことにより、多数のトラックを制御する場合であっても、その中から所望の条件を満たすトラックのｃｈストリップのみをワンタッチで画面に表示させることができるため、画面上に表示させるｃｈストリップによりどのトラックのパラメータを編集するかを、容易に設定することができる。すなわち、パラメータの編集を希望するトラックのｃｈストリップを備えたｃｈストリップ部を、簡単な操作でユーザに提供できる。
【０１１２】
なお、同様なｃｈストリップ部を、「Ｈｉｄｅ」の設定を用いずに提供することも可能である。例えば、ユーザレイヤに設定されているトラックのｃｈストリップのオブジェクトや、抽出トラックテーブルに格納されているｃｈストリップのオブジェクトを並べて配置した画面を新たに作成してもよい。この場合において、それまで表示されていた画面上のｃｈストリップのオブジェクトは残したまま、新たな画面に配置するオブジェクトを追加で作成してもよいし、それまで表示されていた画面上のｃｈストリップのオブジェクトのうち必要なものを新たな画面に移動させるようにしてもよい。
【０１１３】
また、図５に関して、ＰＣ２にＤＡＷアプリを実行させた場合について説明したが、ＤＡＷアプリの代りに、デジタルミキサ１０Ａ，１０Ｂをリモート制御するリモート制御アプリケーションを実行させるようにしてもよい。この場合、リモート制御アプリケーションの機能によりデジタルミキサ１０Ａ，１０Ｂにおける信号処理パラメータの値を編集するために提供する、ディスプレイ上に表示させるｃｈストリップについて、上述したユーザレイヤの機能に相当するｃｈの割り当てを行うことが考えられる。
【０１１４】
また、上述した実施形態では、複数の各ユーザレイヤを、ＥＣタイプとＤＣタイプの何れか１に選択的に設定できるようになっていたが、ＥＣタイプに固定のユーザレイヤと、ＤＣタイプに固定のユーザレイヤとを別々に設けて、タイプの切り替えをできないようにしてもよい。
【０１１５】
また、上述した実施形態では、図７のユーザレイヤ設定画面が表示されているとき、その画面で設定されている検索条件で抽出されたｃｈが８つのｃｈストリップ１２０に割り当てられるようになっていたが、ユーザレイヤ設定画面では抽出されたｃｈのｃｈストリップへの割り当ては行わず（検索条件の設定のみを行う）、対応するレイヤ選択キーのユーザ操作があったときに、該抽出されたチャンネルをｃｈストリップへ割り当てるようにしてもよい。
【０１１６】
また、上述した実施形態では、ユーザが、あるユーザレイヤのタイプをＥＣタイプからＤＣタイプに変更したとき、そのユーザレイヤがＥＣタイプのときに設定されていた検索条件で検索され、８つのｃｈストリップに割り当てられていたｃｈを、ＤＣタイプとなったユーザレイヤにおける８ｃｈストリップへのｃｈ割り当てに引き継ぐようになっていたが、ＥＣタイプからＤＣタイプへの引き継ぎの方法はこれに限らない。
例えば、ＤＣタイプに設定されたあるユーザレイヤの設定画面において、ユーザが、ＥＣタイプに設定されている別のユーザレイヤからの引き継ぎを指定したのに応じて、その時点で、その別のユーザレイヤで設定されている検索条件で検索されたｃｈを、当該ユーザレイヤにおける８ｃｈストリップへのｃｈ割り当てに引き継ぐようにしてもよい。
【０１１７】
また、上述した実施形態では、検索条件設定部２３０では、複数の検索条件を「アンド」で結合するか、それとも「オア」で結合するかを選択できるようになっていたが、これをアンドに固定してしまい、複数の検索条件が必ず「アンド」で結合されるようにしてもよい。
【０１１８】
また、本発明が、デジタルミキサ以外の、シンセサイザ、レコーダ、エフェクタ、音源装置等であっても、カレントメモリに記憶したパラメータの値に基づいて複数のチャンネルで信号処理を行う音響信号処理装置であれば、任意の装置に適用可能であることは、もちろんである。また、ネットワークに接続されず、単体で操作する装置にも適用可能であることは、もちろんである。
また、以上述べてきた構成及び変形例は、矛盾しない範囲で適宜組み合わせて適用することも可能である。
【産業上の利用可能性】
【０１１９】
以上の説明から明らかなように、この発明のコントローラ、音響信号処理装置又はプログラムによれば、所望のｃｈのｃｈストリップを配置したユーザインタフェースを、容易に設定（準備）できるようにすることができる。
従って、この発明を適用することにより、音響信号処理装置の操作性を向上させることができる。
【符号の説明】
【０１２０】
１…ミキサシステム、２…ＰＣ、３…オーディオネットワーク、１０（１０Ａ，１０Ｂ）…デジタルミキサ、１１…ＣＰＵ、１２…フラッシュメモリ、１３…ＲＡＭ、１４…外部機器Ｉ／Ｏ、１５…表示器、１６…電動フェーダ、１７…その他操作子、１８…波形Ｉ／Ｏ、１９…オーディオネットワークＩ／Ｏ、２０…ＤＳＰ、２１…システムバス、４０…入力ｃｈ、４１…アッテネータ、４２…イコライザ、４３…ダイナミクス、４４…ｃｈフェーダ、４５…オンスイッチ、４６…ＴＯ＿ＳＴスイッチ、４７…パン、５１…ＰＲＥ／ＰＯＳＴスイッチ、５２…センドレベルフェーダ、５３…センドオンスイッチ、７０…ＭＩＸバス、８２…ＭＩＸ出力ｃｈ、１００…操作パネル、１０１…センドレベル設定部、１０２…タッチスクリーン、１１０…割当ｃｈストリップ部、１２０…ｃｈストリップ、１２１…ｃｈノブ、１２２…選択キー、１２３…オンキー、１２４…フェーダ，１３０…各種キー、１４０…出力レイヤ選択キー群、１５０…入力レイヤ選択キー群、１６０…ユーザレイヤ選択キー群、２００…ユーザレイヤ設定画面、２１０…レイヤ選択ボタン群、２２０…レイヤ設定部、２２１…ＤＣタイプ選択ボタン、２２２…ＥＣタイプ選択ボタン、２２３…割り当てｃｈ表示部、２２４，２２５…スクロールボタン、２３０…検索条件設定部、２４１…検索範囲選択部、２４２…アンド／オア選択部、２５０…ｃｈ選択部、２５１…機器選択欄、２５２…ｃｈタイプ選択欄、２５３…ｃｈ選択欄
【手続補正３】
【補正対象書類名】図面
【補正対象項目名】図７
【補正方法】変更
【補正の内容】
【図７】
2013058967.tif 000001
【手続補正４】
【補正対象書類名】図面
【補正対象項目名】図１０
【補正方法】変更
【補正の内容】
【図１０】
2013058967.tif 000002